(57)【要約】【課題】画像の色を読み取る際の用紙の幅方向における色ムラを低減し、画像の色を適切に読み取ることができる画像読取装置を提供する。【解決手段】画像読取装置３０は、画像が熱定着された記録シート５０を挟持して搬送方向に搬送する少なくとも一つの搬送ローラー対と、搬送方向と交差する幅方向における所定の読取領域において、搬送により通過する記録シート５０を読み取る読取部と、を有する。少なくとも一つの搬送ローラー対は、搬送方向において読取領域よりも上流側であって読取領域の最も近くに位置する上流側搬送ローラー対を含む。上流側搬送ローラー対のうち記録シートの読取部により読み取る面に接触する読取面側ローラーは、幅方向における端辺が読取部により読み取る記録シートの読取範囲と交差しないように設けられている。【選択図】図４
2020029369.tif 000002
【特許請求の範囲】
【請求項１】
画像が熱定着された記録シートを挟持して搬送方向に搬送する少なくとも一つの搬送ロ
ーラー対と、
前記搬送方向と交差する幅方向における所定の読取領域において、搬送により通過する
前記記録シートを読み取る読取部と、
を有し、
前記少なくとも一つの搬送ローラー対は、前記搬送方向において前記読取領域よりも上
流側であって前記読取領域の最も近くに位置する上流側搬送ローラー対を含み、
前記上流側搬送ローラー対のうち前記記録シートの前記読取部により読み取る面に接触
する読取面側ローラーは、前記幅方向における端辺が前記読取部により読み取る前記記録
シートの読取範囲と交差しないように設けられている画像読取装置。
【請求項２】
前記上流側搬送ローラー対は、前記記録シートの挟持範囲であるニップ領域と当該ニッ
プ領域以外の領域との前記幅方向における境界が前記読取範囲と交差しないように設けら
れる請求項１に記載の画像読取装置。
【請求項３】
前記読取面側ローラーは、前記幅方向において前記読取範囲の全領域に接触するように
設けられる請求項１または請求項２に記載の画像読取装置。
【請求項４】
前記読取面側ローラーの記録シートに接触する表面は、前記読取面側ローラーと対をな
すローラーの記録シートに接触する表面よりも熱伝導率の高い材料で構成される請求項１
〜３のいずれか一項に記載の画像読取装置。
【請求項５】
前記読取面側ローラーの記録シートに接触する表面は、前記読取面側ローラーと対をな
すローラーの記録シートに接触する表面よりも表面粗さが小さく構成される請求項１〜４
のいずれか一項に記載の画像読取装置。
【請求項６】
前記読取部は、通過する前記記録シートの前記幅方向における全領域を含む第１読取領
域において前記記録シートを読み取る第１読取部と、前記搬送方向において前記第１読取
領域よりも下流側に設けられ、通過する前記記録シートの前記幅方向における一部の領域
を含む第２読取領域において前記記録シートを読み取る第２読取部と、を有し、
前記第１読取領域の上流側であって前記第１読取領域の最も近くに位置する搬送ローラ
ー対のうち前記読取面側に位置するローラーは、前記幅方向において前記第１読取部によ
り読み取る前記記録シートの読取範囲の全領域に接触するように設けられ、
前記第２読取領域の上流側かつ前記第１読取領域の下流側であって前記第２読取領域の
最も近くに位置する搬送ローラー対は、前記記録シートの挟持範囲であるニップ領域と当
該ニップ領域以外の領域との前記幅方向における境界が、前記第２読取部により読み取る
前記記録シートの読取範囲と交差しないように設けられる請求項１〜５のいずれか一項に
記載の画像読取装置。
【請求項７】
請求項１〜６のいずれか一項に記載の画像読取装置と、
記録シートに画像を形成および定着し、当該記録シートを前記画像読取装置に供給する
画像形成部と、
を有する画像形成システム。
【発明の詳細な説明】
【技術分野】
【０００１】
本発明は、画像読取装置および画像形成システムに関する。
【背景技術】
【０００２】
画像形成装置によって用紙上に形成された画像を、下流に備えられた画像読取装置によ
って読み取り、読み取った画像の色や位置等の情報を補正用情報として画像形成装置にフ
ィードバックする画像形成システムが知られている（たとえば、特許文献１参照）。
【０００３】
上記のような画像形成装置において、画像形成部によって用紙上に形成された画像は、
定着部によって加熱および加圧されて用紙に定着される。画像が定着された用紙は、回転
する搬送ローラー対によって挟持され、画像読取装置の読取部まで搬送される。搬送ロー
ラー対としては、コストを考慮して、用紙の搬送方向と交差する幅方向において用紙の一
部を挟持するものが一般に多く使用されている。
【先行技術文献】
【特許文献】
【０００４】
【特許文献１】特開２０１４−１６５８０２号公報
【発明の概要】
【発明が解決しようとする課題】
【０００５】
搬送ローラー対によって読取部に搬送される用紙には、定着部において加えられた熱が
残存している。熱が残存している用紙が搬送ローラー対に挟持されると、搬送ローラーに
接触した部分において用紙の熱が搬送ローラーに移動し、その部分において用紙の表面温
度が低下する。したがって、用紙の幅方向において用紙の一部を挟持する搬送ローラー対
を使用する場合、搬送ローラー対によって挟持される部分と、挟持されない部分とにおい
て用紙表面温度に差異が生じ、用紙の幅方向において一時的に表面温度のムラが生じるこ
とになる。
【０００６】
ここで、物質の色が温度によって可逆的に変化するサーモクロミズムという現象が知ら
れている。このサーモクロミズム現象により、用紙の表面温度、すなわち用紙に形成され
た画像の温度が変化すると、画像の色も変化する。たとえば、同じ色の画像を印刷しても
、画像の位置によって温度が異なる場合、それぞれの位置において読み取られる画像の色
は異なる。したがって、上記のように用紙の幅方向において表面温度のムラが生じている
場合、画像の色にもムラが生じることになる。これでは、画像の色を適切に読み取って画
像形成装置にフィードバックすることができず、好ましくない。
【０００７】
本発明は、上述した課題に鑑みてなされたものである。したがって、本発明の目的は、
画像の色を読み取る際の用紙の幅方向における色ムラを低減し、画像の色を適切に読み取
ることができる画像読取装置を提供することである。
【課題を解決するための手段】
【０００８】
本発明の上記目的は、下記の手段によって達成される。
【０００９】
（１）画像が熱定着された記録シートを挟持して搬送方向に搬送する少なくとも一つの
搬送ローラー対と、前記搬送方向と交差する幅方向における所定の読取領域において、搬
送により通過する前記記録シートを読み取る読取部と、を有し、前記少なくとも一つの搬
送ローラー対は、前記搬送方向において前記読取領域よりも上流側であって前記読取領域
の最も近くに位置する上流側搬送ローラー対を含み、前記上流側搬送ローラー対のうち前
記記録シートの前記読取部により読み取る面に接触する読取面側ローラーは、前記幅方向
における端辺が前記読取部により読み取る前記記録シートの読取範囲と交差しないように
設けられている画像読取装置。
【００１０】
（２）前記上流側搬送ローラー対は、前記記録シートの挟持範囲であるニップ領域と当
該ニップ領域以外の領域との前記幅方向における境界が前記読取範囲と交差しないように
設けられる上記（１）に記載の画像読取装置。
【００１１】
（３）前記読取面側ローラーは、前記幅方向において前記読取範囲の全領域に接触する
ように設けられる上記（１）または（２）に記載の画像読取装置。
【００１２】
（４）前記読取面側ローラーの記録シートに接触する表面は、前記読取面側ローラーと
対をなすローラーの記録シートに接触する表面よりも熱伝導率の高い材料で構成される上
記（１）〜（３）のいずれか一つに記載の画像読取装置。
【００１３】
（５）前記読取面側ローラーの記録シートに接触する表面は、前記読取面側ローラーと
対をなすローラーの記録シートに接触する表面よりも表面粗さが小さく構成される上記（
１）〜（４）のいずれか一項に記載の画像読取装置。
【００１４】
（６）前記読取部は、通過する前記記録シートの前記幅方向における全領域を含む第１
読取領域において前記記録シートを読み取る第１読取部と、前記搬送方向において前記第
１読取領域よりも下流側に設けられ、通過する前記記録シートの前記幅方向における一部
の領域を含む第２読取領域において前記記録シートを読み取る第２読取部と、を有し、前
記第１読取領域の上流側であって前記第１読取領域の最も近くに位置する搬送ローラー対
のうち前記読取面側に位置するローラーは、前記幅方向において前記第１読取部により読
み取る前記記録シートの読取範囲の全領域に接触するように設けられ、前記第２読取領域
の上流側かつ前記第１読取領域の下流側であって前記第２読取領域の最も近くに位置する
搬送ローラー対は、前記記録シートの挟持範囲であるニップ領域と当該ニップ領域以外の
領域との前記幅方向における境界が、前記第２読取部により読み取る前記記録シートの読
取範囲と交差しないように設けられる上記（１）〜（５）のいずれか一つに記載の画像読
取装置。
【００１５】
（７）上記（１）〜（６）のいずれか一つに記載の画像読取装置と、記録シートに画像
を形成および定着し、当該記録シートを前記画像読取装置に供給する画像形成部と、を有
する画像形成システム。
【発明の効果】
【００１６】
本発明の画像読取装置によれば、読取面側ローラーの幅方向における端辺が、読取部に
より読み取る用紙の読取範囲と交差しないように設けられている。これにより、読取部に
よって読取範囲内の画像を読み取る際に、用紙の幅方向における表面温度のムラを低減で
き、画像の色ムラを低減できる。したがって、画像の色を適切に読み取って画像形成装置
にフィードバックすることができる。
【図面の簡単な説明】
【００１７】
【図１】本発明の一実施形態に係る画像形成システムの概略構成を示す図である。
【図２】給紙装置、画像形成装置、画像読取装置および後処理装置の概略構成を示すブロック図である。
【図３】測色計の上流側に設けられる搬送ローラー対の概略構成を示す斜視図である。
【図４】図３に示される搬送ローラー対と測色計との位置関係を示す概略平面図である。
【図５】第２スキャナーの上流側に設けられる搬送ローラー対の概略構成を示す斜視図である。
【図６】図５に示される搬送ローラー対と第２スキャナーとの位置関係を示す概略平面図である。
【図７】第１スキャナーの上流側に設けられる搬送ローラー対の概略構成を示す斜視図である。
【図８】図７の矢印方向から見た搬送ローラー対と第１スキャナーとの位置関係を示す概略図である。
【図９】変形例１に係る画像読取装置の測色計の上流側に設けられる搬送ローラー対の概略構成を示す斜視図である。
【図１０】図９に示される搬送ローラー対と測色計との位置関係を示す概略平面図である。
【図１１】変形例２に係る画像読取装置の測色計による読取領域と搬送ローラー対との位置関係を示す図である。
【図１２】変形例３に係る画像読取装置の第２スキャナーの上流側に設けられる搬送ローラー対の概略構成を示す斜視図である。
【発明を実施するための形態】
【００１８】
以下、添付した図面を参照して、本発明の実施形態を説明する。なお、図面の説明にお
いて同一の要素には同一の符号を付し、重複する説明を省略する。また、図面の寸法比率
は、説明の都合上誇張されており、実際の比率とは異なる場合がある。
【００１９】
図１は、本発明の一実施形態に係る画像形成システムの概略構成を示す図であり、図２
は、給紙装置、画像形成装置、画像読取装置および後処理装置の概略構成を示すブロック
図である。
【００２０】
図１および図２に示すとおり、画像形成システム１は、給紙装置１０、画像形成装置２
０、画像読取装置３０および後処理装置４０を備える。給紙装置１０、画像形成装置２０
、画像読取装置３０および後処理装置４０は、用紙搬送の上流側から下流側へ順に連結さ
れている。以下、画像形成装置２０、給紙装置１０、画像読取装置３０および後処理装置
４０の順番で説明する。
【００２１】
＜画像形成装置＞
画像形成装置２０は、制御部２１、記憶部２２、通信部２３、操作パネル２４、給紙部
２５、画像形成部２６および定着部２７を備えており、これらは信号をやり取りするため
のバスを介して相互に接続されている。
【００２２】
制御部２１は、ＣＰＵ（Ｃｅｎｔｒａｌ  Ｐｒｏｃｅｓｓｉｎｇ  Ｕｎｉｔ）であり、
プログラムにしたがって上記各部の制御や各種の演算処理を行う。
【００２３】
記憶部２２は、予め各種プログラムや各種データを格納しておくＲＯＭ（Ｒｅａｄ  Ｏ
ｎｌｙ  Ｍｅｍｏｒｙ）、作業領域として一時的にプログラムやデータを記憶するＲＡＭ
（Ｒａｎｄｏｍ  Ａｃｃｅｓｓ  Ｍｅｍｏｒｙ）、各種プログラムや各種データを格納す
るハードディスク等からなる。
【００２４】
通信部２３は、他の機器と通信するためのインターフェースであり、給紙装置１０、画
像読取装置３０および後処理装置４０との間で、設定値や動作タイミング制御に必要な各
種信号等の送受信を行う。
【００２５】
操作パネル２４は、タッチパネル、テンキー、スタートボタン、ストップボタン等を備
えており、各種情報の表示および各種指示の入力に使用される。
【００２６】
給紙部２５は、印刷に使用される記録シートとしての用紙５０を収容する。給紙部２５
は、複数の給紙トレイを有しており、給紙トレイに収容された用紙５０を１枚ずつ画像形
成部２６に送り出す。
【００２７】
画像形成部２６は、給紙部２５から供給される用紙５０上に画像を形成する。画像形成
部２６は、電子写真式プロセスを用いて、各種データに基づく画像を転写ベルト上に形成
し、転写ベルト上に形成した画像を用紙５０上に転写する。画像形成部２６の下部には、
用紙反転機構２８が設けられており、画像形成部２６は、用紙５０の両面に画像を形成す
ることができる。
【００２８】
定着部２７は、画像形成部２６により用紙５０に形成された画像を熱定着する。定着部
２７は、加圧ローラーおよび加熱ローラーを有し、画像が転写された用紙５０に熱と圧力
とを加えることにより、画像を用紙５０に溶着させる。
【００２９】
＜給紙装置＞
給紙装置１０は、制御部１１、記憶部１２、通信部１３および給紙部１４を備えており
、これらは信号をやり取りするためのバスを介して相互に接続されている。なお、制御部
１１、記憶部１２および通信部１３は、画像形成装置２０の制御部２１、記憶部２２およ
び通信部２３と同様の機能を有するので、説明の重複を避けるためその説明を省略する。
【００３０】
給紙部１４は、複数の給紙トレイを有しており、給紙トレイに収容された用紙５０を１
枚ずつ画像形成装置２０に送り出す。
【００３１】
＜画像読取装置＞
画像読取装置３０は、制御部３１、記憶部３２、通信部３３、用紙搬送部３４、第１ス
キャナー３５、第２スキャナー３６および測色計３７を備えており、これらは信号をやり
取りするためのバスを介して相互に接続されている。なお、制御部３１、記憶部３２およ
び通信部３３は、画像形成装置２０の制御部２１、記憶部２２および通信部２３と同様の
機能を有するので、説明の重複を避けるためその説明を省略する。
【００３２】
用紙搬送部３４は、画像形成装置２０により画像が形成された用紙５０を搬送する。用
紙搬送部３４は、用紙５０を挟持（ニップ）して搬送する複数の搬送ローラー対３４１〜
３４４を備える。搬送ローラー対３４１は、ローラーＲ１およびローラーＲ２から構成さ
れる。同様に、搬送ローラー対３４２はローラーＲ３およびローラーＲ４から構成され、
搬送ローラー対３４３はローラーＲ５およびローラーＲ６から構成され、搬送ローラー対
３４４はローラーＲ７およびローラーＲ８から構成される。搬送ローラー対３４１は、用
紙５０の搬送方向において第１スキャナー３５よりも上流側であって、第１スキャナーの
最も近くに設けられている。搬送ローラー対３４２は、用紙５０の搬送方向において第２
スキャナー３６よりも上流側であって、第２スキャナーの最も近くに設けられている。搬
送ローラー対３４３は、用紙５０の搬送方向において測色計３７よりも上流側であって、
測色計３７の最も近くに設けられている。各搬送ローラー対３４１〜３４４の構成につい
て、詳細は後述する。
【００３３】
第１スキャナー３５は、用紙搬送部３４により搬送される用紙５０の下面の画像を読み
取る。第１スキャナー３５は、ＣＣＤ（Ｃｈａｒｇｅ  Ｃｏｕｐｌｅｄ  Ｄｅｖｉｃｅ）
ラインセンサーまたはＣＩＳ（Ｃｏｎｔａｃｔ  Ｉｍａｇｅ  Ｓｅｎｓｏｒ）であり、搬
送経路上を搬送される用紙５０の幅方向の全領域の画像を読み取る。用紙５０の搬送経路
を挟んで第１スキャナー３５と対向する側には、第１スキャナー３５に対向する面を用途
に応じて切り替え可能な回転部材３５１が配置されている。
【００３４】
第２スキャナー３６は、用紙搬送部３４により搬送される用紙５０の上面の画像を読み
取る。第２スキャナー３６は、ＣＣＤラインセンサーやＣＩＳであり、搬送経路上を搬送
される用紙５０の幅方向における全領域の画像を読み取る。用紙５０の搬送経路を挟んで
第２スキャナー３６と対向する側には、第２スキャナー３６に対向する面を用途に応じて
切り替え可能な回転部材３６１が配置されている。
【００３５】
測色計３７は、読取部として、用紙５０の上面に形成された画像を測色する。測色計３
７は、たとえば、分光測色計であり、用紙５０の幅方向における所定の領域の色を読み取
る。用紙５０の搬送経路を挟んで測色計３７に対向する側には、測色計３７に対向する面
を用途に応じて切り替え可能な回転部材３７１が配置されている。
【００３６】
上記の第１スキャナー３５、第２スキャナー３６および測色計３７は、それぞれ読取部
を構成する。また、測色計３７は第１読取部を構成し、第１スキャナー３５および第２ス
キャナー３６は第２読取部を構成する。
【００３７】
＜後処理装置＞
後処理装置４０は、制御部４１、記憶部４２、通信部４３、後処理部４４および排紙部
４５を備えており、これらは信号をやり取りするためのバスを介して相互に接続されてい
る。なお、なお、制御部４１、記憶部４２および通信部４３は、画像形成装置２０の制御
部２１、記憶部２２および通信部２３と同様の機能を有するので、説明の重複を避けるた
めその説明を省略する。
【００３８】
後処理部４４は、画像読取装置３０から排出される用紙５０に対してステープル処理や
パンチ処理等の後処理を施す。排紙部４５は、後処理部４４を通過した用紙５０を後処理
装置４０の外部に送出する。
【００３９】
なお、給紙装置１０、画像形成装置２０、画像読取装置３０および後処理装置４０は、
上記構成要素以外の構成要素を含んでいてもよく、あるいは、上記構成要素のうちの一部
が含まれていなくてもよい。
【００４０】
以上のとおり構成される画像形成システム１では、画像読取装置３０の第１スキャナー
３５および第２スキャナー３６により画像を読み取って得られる色情報を補正するために
、測色計３７による画像の測色を行う調整モードが実行される。調整モードを実行するこ
とによって、スキャナーで読み取って得られる色情報を、測色計で測色して得られる精緻
な色情報に補正するように設定できる。これにより、印刷時にスキャナーで読み取って画
像形成装置２０にフィードバックする色情報の精度を向上させることができる。ここで、
第１スキャナー３５、第２スキャナー３６および測色計３７で色情報を読み取る際に、用
紙５０の幅方向において表面温度のムラが生じていると、温度により色が変化するサーモ
クロミズム現象によって、画像の色にもムラが生じてしまう。そこで、本実施形態の画像
読取装置３０では、第１スキャナー３５、第２スキャナー３６および測色計３７において
色情報を読み取る際に、幅方向における表面温度のムラが低減されるように各搬送ローラ
ー対３４１、３４２、３４３が配置される。
【００４１】
以下、画像読取装置３０の各搬送ローラー対３４１、３４２、３４３の構成および作用
について、詳細に説明する。説明の便宜上、搬送ローラー対３４３、３４２、３４１の順
番で説明する。
【００４２】
＜搬送ローラー対３４３＞
図３は、測色計の上流側に設けられる搬送ローラー対の概略構成を示す斜視図である。
図４は、図３に示される搬送ローラー対と測色計との位置関係を示す概略平面図である。
【００４３】
図３に示すように、搬送ローラー対３４３は、ローラーＲ５およびローラーＲ６を有す
る。ローラーＲ５は、たとえば、回転するローラーＲ６に圧接することにより従動回転す
るポリアセタール樹脂（ＰＯＭ）製の従動ローラーである。ローラーＲ６は、たとえば、
回転駆動されるエチレンプロピレンゴム（ＥＰＤＭ）製の駆動ローラーである。
【００４４】
ローラーＲ５は、用紙５０を挟持する際に、用紙５０の上面、すなわち、測色計３７に
よって読み取られる側の面に接触する読取面側ローラーである。ローラーＲ５は、軸方向
において隔離して配置された２つの分割ローラーＲ５ａ、Ｒ５ｂを有し、当該分割ローラ
ーＲ５ａ、Ｒ５ｂの外周面において用紙５０に接触する。ローラーＲ６は、用紙５０の下
面、すなわち、測色計３７によって読み取られない側の面に接触するローラーである。ロ
ーラーＲ６は、用紙５０の幅方向に分割された２つの分割ローラーＲ６ａ、Ｒ６ｂを有し
、当該分割ローラーＲ６ａ、Ｒ６ｂの外周面において用紙５０に接触する。分割ローラー
Ｒ６ａ、Ｒ６ｂの位置は、分割ローラーＲ５ａ、Ｒ５ｂの位置にそれぞれ対応する。分割
ローラーＲ６ａと分割ローラーＲ５ａとの間、および分割ローラーＲ６ｂと分割ローラー
Ｒ５ｂとの間には、用紙５０が挟持されるニップ領域がそれぞれ形成される。
【００４５】
図４に示すように、搬送ローラー対３４３は、搬送方向Ａにおいて測色計３７の上流側
に配置され、用紙５０を搬送方向Ａに向けて搬送する。測色計３７は、用紙５０の搬送経
路上に設けられ、所定の読取領域３７２において用紙５０の画像を測色する。搬送ローラ
ー対３４３のローラーＲ５は、用紙５０上の接触範囲５１ａ、５１ｂにおいて用紙５０に
接触し、搬送ローラー対３４３は、接触範囲５１ａ、５１ｂにおいて用紙５０を挟持する
。測色計３７は、用紙５０上の読取領域３７２を通過する部分である読取範囲５２内の画
像を測色する。
【００４６】
読取面側ローラーであるローラーＲ５は、幅方向Ｂにおける端辺が測色計３７により読
み取る用紙５０の読取範囲５２と交差しないように設けられている。具体的には、分割ロ
ーラーＲ５ａ、Ｒ５ｂそれぞれの幅方向Ｂにおける端辺が、読取範囲５２と交差しないよ
うに設けられている。言い換えれば、ローラーＲ５の幅方向における端辺と、測色計３７
の読取領域３７２または測色計３７による用紙５０の読取範囲５２とは、幅方向Ｂにおけ
る位置が異なるように設けられている。
【００４７】
当該構成を、別の観点により考えると、次のように言える。搬送ローラー対３４３は、
接触範囲５１ａ、５１ｂにおいて用紙５０を挟持する。したがって、搬送ローラー対３４
３による用紙５０の挟持領域であるニップ領域とニップ領域以外の領域との幅方向Ｂにお
ける境界は、測色計３７により読み取る用紙５０の読取範囲５２と交差しないように設け
られている。
【００４８】
以上のように構成される本実施形態の搬送ローラー対３４３によれば、ローラーＲ５に
よる用紙５０の接触範囲５１ａ、５１ｂ（搬送ローラー対３４３により用紙５０が挟持さ
れる範囲である挟持範囲）が、測色計３７による用紙５０の読取範囲５２と重ならない。
ここで、接触範囲５１ａ、５１ｂでは、用紙５０がローラーＲ５と接触するため、画像定
着時に加えられた用紙５０の熱がローラーＲ５に移動する。このため、接触範囲５１ａ、
５１ｂは、用紙５０上の他の部分と比較して表面温度が低下している。本実施形態の画像
読取装置３０によれば、表面温度が低下している接触範囲５１ａ、５１ｂが、測色計３７
による用紙５０の読取範囲５２に含まれないようにすることができる。したがって、読取
範囲５２内においてローラーＲ５の接触により温度が低下している箇所をなくすことがで
きる。これにより、測色計３７によって読取範囲５２内の画像を読み取る際に、用紙５０
の幅方向Ｂにおける表面温度のムラを低減でき、画像の色ムラを低減できる。その結果、
画像の色を適切に読み取って画像形成装置２０にフィードバックすることができる。
【００４９】
＜搬送ローラー対３４２＞
図５は、第２スキャナーの上流側に設けられる搬送ローラー対の概略構成を示す斜視図
である。図６は、図５に示される搬送ローラー対と第２スキャナーとの位置関係を示す概
略平面図である。
【００５０】
図５に示すように、搬送ローラー対３４２は、ローラーＲ３およびローラーＲ４を有す
る。ローラーＲ３は、用紙５０を挟持する際に、用紙５０の上面、すなわち、第２スキャ
ナー３６によって読み取られる側の面に接触する読取面側ローラーである。ローラーＲ４
は、用紙５０の下面、すなわち、第２スキャナー３６によって読み取られない側の面に接
触するローラーである。
【００５１】
読取面側ローラーであるローラーＲ３は、軸方向において連続する１つのローラーであ
り、用紙５０の幅よりも広い幅を有する。ローラーＲ４は、軸方向において隔離して設け
られる２つの分割ローラーＲ４ａ、Ｒ４ｂを有し、当該分割ローラーＲ４ａ、Ｒ４ｂの外
周面において用紙５０に接触する。
【００５２】
読取面側ローラーであるローラーＲ３の用紙５０に接触する表面は、ローラーＲ３と対
をなすローラーＲ４の用紙５０に接触する表面よりも熱伝導率の高い材料で構成されてい
る。ローラーＲ３は、たとえば、ステンレス等の金属製のローラーであり、ローラーＲ４
は、たとえば、エチレンプロピレンゴム（ＥＰＤＭ）製またはポリウレタン製のローラー
である。また、ローラーＲ３の用紙５０に接触する表面は、ローラーＲ４の用紙５０に接
触する表面よりも表面粗さが小さくなるように構成されている。表面粗さは、たとえば研
磨等の表面加工や、めっき等の表面処理によって小さくすることができる。
【００５３】
図６に示すように、搬送ローラー対３４２は、搬送方向Ａにおいて第２スキャナー３６
の上流側に配置され、用紙５０を搬送方向Ａに向けて搬送する。第２スキャナー３６は、
用紙５０の搬送経路上に設けられ、搬送される用紙５０の画像を読み取る。
【００５４】
第２スキャナー３６は、用紙５０の幅方向Ｂの全領域にわたる読取領域３６２において
用紙５０の画像を読み取る。したがって、第２スキャナー３６は、用紙５０の全領域に相
当する読取範囲５２内の画像を読み取る。また、ローラーＲ３は、用紙５０の幅よりも広
い幅を有するため、用紙５０の幅方向Ｂの全領域にわたって用紙５０に接触する。したが
って、ローラーＲ３は、用紙５０の全領域に相当する接触範囲５１において用紙５０に接
触する。このように、本実施形態では、読取面側ローラーであるローラーＲ３は、幅方向
Ｂにおいて第２スキャナー３６による用紙５０の読取範囲５２の全領域に接触するように
設けられている。
【００５５】
以上のように構成される本実施形態の搬送ローラー対３４２によれば、読取面側ローラ
ーであるローラーＲ３が、幅方向において読取範囲５２の全領域に接触するように設けら
れている。したがって、第２スキャナー３６による用紙５０の読取範囲５２の全領域を、
ローラーＲ３の接触により温度が低下している範囲とすることができる。これにより、第
２スキャナー３６によって読取範囲５２内の画像を読み取る際に、用紙５０の幅方向Ｂに
おける表面温度のムラを低減でき、画像の色ムラを低減できる。その結果、画像の色を適
切に読み取って画像形成装置２０にフィードバックすることができる。たとえば、搬送ロ
ーラー対３４２よりも上流側に配置された分割ローラーの接触により用紙５０の表面温度
にムラが生じている場合でも、搬送ローラー対３４２が読取範囲５２の全領域に接触する
ことによって表面温度のムラを低減できる。
【００５６】
また、読取面側ローラーであるローラーＲ３の用紙５０に接触する表面は、ローラーＲ
３と対をなすローラーＲ４の用紙５０に接触する表面よりも熱伝導率の高い材料で構成さ
れている。これにより、ローラーＲ３が用紙５０に接触した際により多くの熱を用紙５０
からローラーＲ３に移動させることができ、より効率的に用紙５０の表面温度を均一化で
きる。したがって、より効率的に画像の色ムラを低減できる。
【００５７】
また、読取面側ローラーであるローラーＲ３の用紙５０に接触する表面は、ローラーＲ
３と対をなすローラーＲ４の用紙５０に接触する表面よりも表面粗さが小さくなるように
構成されている。これにより、ローラーＲ３と用紙５０とが接触する際の接触面積が増大
し、より多くの熱を用紙５０からローラーＲ３に移動させることができ、より効率的に用
紙５０の表面温度を均一化できる。したがって、より効率的に画像の色ムラを低減できる
。
【００５８】
＜搬送ローラー対３４１＞
図７は、第１スキャナーの上流側に設けられる搬送ローラー対の概略構成を示す斜視図
である。図８は、図７の矢印方向から見た搬送ローラー対と第１スキャナーとの位置関係
を示す概略図である。
【００５９】
図７に示すように、搬送ローラー対３４１は、ローラーＲ１およびローラーＲ２を有す
る。ローラーＲ１は、用紙５０を挟持する際に、用紙５０の上面、すなわち、第１スキャ
ナー３５によって読み取られない側の面に接触するローラーである。ローラーＲ２は、用
紙５０の下面、すなわち、第１スキャナー３５によって読み取られる側の面に接触する読
取面側ローラーである。ローラーＲ１の構成はローラーＲ４の構成と同様であり、ローラ
ーＲ２の構成はローラーＲ３の構成と同様である。
【００６０】
図８に示すように、搬送ローラー対３４１は、搬送方向Ａにおいて第１スキャナー３５
の上流側に配置され、用紙５０を搬送方向Ａに向けて搬送する。第１スキャナー３５は、
用紙５０の搬送経路上に設けられ、搬送される用紙５０の画像を読み取る。
【００６１】
第１スキャナー３５は、用紙５０の幅方向Ｂの全領域にわたる読取領域３５２において
用紙５０の画像を読み取る。したがって、第１スキャナー３５は、用紙５０の全領域に相
当する読取範囲５２内の画像を読み取る。また、ローラーＲ２は、用紙５０の幅よりも広
い幅を有するため、用紙５０の幅方向Ｂの全領域にわたって用紙５０に接触する。したが
って、ローラーＲ２は、用紙５０の全範囲に相当する接触範囲５１において用紙５０に接
触する。このように、本実施形態では、読取面側ローラーであるローラーＲ２は、幅方向
Ｂにおいて読取範囲５２の全領域に接触するように設けられる。
【００６２】
以上のように構成される本実施形態の搬送ローラー対３４１によれば、読取面側ローラ
ーであるローラーＲ２が、幅方向において読取範囲５２の全領域に接触するように設けら
れている。これにより、用紙５０の下面を読み取る場合にも、用紙５０が読み取られる直
前に用紙５０の下面の読取範囲５２の全領域において表面温度が均一化される。したがっ
て、用紙５０の下面を読み取る場合においても、表面温度のムラを低減して色ムラを低減
することができる。
【００６３】
（変形例１）
なお、上記の実施形態では、搬送ローラー対３４３が、軸方向において隔離して配置さ
れた分割ローラーによって構成される例について説明した。しかし、搬送ローラー対３４
３の構成はこれに限定されない。たとえば、搬送ローラー対３４３を構成するローラーは
、分割ローラーではなく、軸方向に連続する１つのローラーであってもよい。
【００６４】
図９は、変形例１に係る画像読取装置の測色計の上流側に設けられる搬送ローラー対の
概略構成を示す斜視図である。図１０は、図９に示される搬送ローラー対と測色計との位
置関係を示す概略平面図である。
【００６５】
図９に示すように、変形例１に係る画像読取装置３０では、搬送ローラー対３４３を構
成する２つのローラーＲ５ｃ、Ｒ６ｃは、分割ローラーではなく、それぞれ軸方向に連続
する１つのローラーであり、用紙５０の幅よりも狭い幅を有している。
【００６６】
図１０に示すように、読取面側ローラーであるローラーＲ５ｃは、幅方向Ｂにおける端
辺が、測色計３７により読み取る用紙５０の読取範囲５２と交差しないように設けられて
いる。また、ローラーＲ５ｃは、ローラーＲ５ａ、Ｒ５ｂとは異なり、幅方向Ｂにおいて
測色計３７による用紙５０の読取範囲５２内の全領域に接触するように設けられている。
【００６７】
このような構成によれば、測色計３７による用紙５０の読取範囲５２の全領域を、ロー
ラーＲ５ｃに接触される接触範囲５１、すなわちローラーＲ５ｃの接触により温度が低下
している範囲とすることができる。これにより、測色計３７によって読取範囲５２内の画
像を読み取る際に、用紙５０の幅方向Ｂにおける表面温度のムラを低減でき、画像の色ム
ラを低減できる。
【００６８】
（変形例２）
また、上記の実施形態では、測色計３７による読取領域３７２は、用紙５０の幅方向に
おける中央部に設けられている例について説明したが、読取領域３７２の位置はこれに限
定されない。たとえば、読取領域３７２は、用紙５０の幅方向における端部に設けられて
いてもよい。
【００６９】
図１１は、変形例２に係る画像読取装置の測色計による第１読取領域と搬送ローラー対
との位置関係を示す図である。
【００７０】
図１１において、（ａ）は、読取面側ローラーとして分割ローラーＲ５ａ、Ｒ５ｂが配
置される例を示し、（ｂ）は、読取面側ローラーとして１つのローラーＲ５ｃが配置され
る例を示す。
【００７１】
図１１（ａ）および（ｂ）に示すように、測色計３７による読取領域３７２が、用紙５
０の幅方向における端部に設けられている場合でも、幅方向における端部が読取範囲５２
と交差しないように各ローラーを配置することができる。これにより、読取範囲５２の全
領域を、ローラーによって接触されずに表面温度が低下していない領域、またはローラー
によって接触されて表面温度が低下している領域のいずれかにすることができる。したが
って、測色計３７によって読取範囲５２内の画像を読み取る際に、用紙５０の幅方向Ｂに
おける表面温度のムラを低減でき、画像の色ムラを低減できる。
【００７２】
（変形例３）
また、上記の実施形態では、搬送ローラー対３４２が、軸方向において連続する１つの
ローラーＲ３と、軸方向において隔離して配置された２つの分割ローラーＲ４ａ、Ｒ４ｂ
を有するローラーＲ４とから構成される例について説明した。しかし、搬送ローラー対３
４１の構成はこれに限定されない。たとえば、搬送ローラー対３４２のローラーＲ４を、
ローラーＲ３と同様に、軸方向において連続する１つのローラーによって構成してもよい
。
【００７３】
図１２は、変形例３に係る画像読取装置の第２スキャナーの上流側に設けられる搬送ロ
ーラー対の概略構成を示す斜視図である。
【００７４】
図１２に示すように、変形例３に係る画像読取装置３０では、搬送ローラー対３４２を
構成する２つのローラーＲ３、Ｒ４は、それぞれ軸方向において連続する１つのローラー
であり、用紙５０の幅よりも広い幅を有する。
【００７５】
このような構成によれば、第２スキャナー３６による用紙５０の読取範囲５２の全領域
を搬送ローラー対３４２によって挟持できるため、読取範囲５２内における用紙５０の表
面温度をより均一にすることができ、画像の色ムラを低減できる。さらに、用紙５０のサ
イズに関わらず用紙５０の幅方向における全領域を挟持できるため、用紙５０のズレや傾
きを抑止して用紙５０を安定して搬送することができる。
【００７６】
なお、上記の変形例３では、搬送ローラー対３４２に適用される例について説明したが
、本変形例は、搬送ローラー対３４１に適用されてもよい。
【００７７】
本発明は、上述した実施形態のみに限定されるものではなく、特許請求の範囲内におい
て、種々改変することができる。
【００７８】
たとえば、上述した実施形態では、２つのスキャナーと、１つの測色計を備える画像読
取装置を例に挙げて説明したが、画像読取装置の構成は、これに限定されない。たとえば
、画像読取装置は、測色計を備えず、１つのスキャナーのみを備えていてもよく、あるい
は、２つ以上の測色計を備えていてもよい。
【００７９】
また、上述した実施形態では、画像読取装置に４つの搬送ローラー対が設けられる例に
ついて説明したが、搬送ローラー対の数や構成は上記の例に限定されない。たとえば、３
つ以下や５つ以上の搬送ローラー対が設けられてもよい。また、分割ローラーの構成も上
記の例に限定されず、たとえば、軸方向に隔離した３つ以上の分割ローラーによって１つ
のローラーが構成されてもよい。
【００８０】
また、上述した実施形態では、搬送ローラー対３４１、３４２、３４３が、それぞれ第
１スキャナー３５、第２スキャナー３６、測色計３７の上流側に設けられる例について説
明したが、各搬送ローラーの配置はこれに限定されない。各搬送ローラーの配置は、用紙
の読み取りが行われる位置や範囲に応じて適宜選択できる。
【００８１】
また、上述した実施形態では、画像形成装置と画像読取装置とを有する画像形成システ
ムを例に挙げて説明した。しかしながら、画像読取装置は、画像形成装置に内蔵されても
よい。この場合、画像形成装置の内部に測色計やスキャナーが備えられ、画像形成装置の
制御部により各部の制御が行われる。
【００８２】
また、上述した実施形態では、用紙に画像を形成して読み取る場合を例に挙げて説明し
た。しかしながら、画像が形成されて読み取られる記録シートは、用紙に限定されるもの
ではなく、樹脂や金属等からなる種々の記録材であってもよい。
【００８３】
上述した実施形態に係る画像形成システムにおける各種処理を行う手段および方法は、
専用のハードウエア回路、またはプログラムされたコンピューターのいずれによっても実
現することが可能である。上記プログラムは、たとえば、フレキシブルディスクおよびＣ
Ｄ−ＲＯＭ（Ｃｏｍｐａｃｔ  Ｄｉｓｃ  Ｒｅａｄ  Ｏｎｌｙ  Ｍｅｍｏｒｙ）等のコン
ピューター読み取り可能な記録媒体によって提供されてもよいし、インターネット等のネ
ットワークを介してオンラインで提供されてもよい。この場合、コンピューター読み取り
可能な記録媒体に記録されたプログラムは、通常、ハードディスク等の記憶部に転送され
記憶される。また、上記プログラムは、単独のアプリケーションソフトとして提供されて
もよいし、画像形成システムの一機能としてその装置のソフトウエアに組み込まれてもよ
い。
【符号の説明】
【００８４】
１  画像形成システム、
１０  給紙装置、
１１、２１、３１、４１  制御部、
１２、２２、３２、４２  記憶部、
１３、２３、３３、４３  通信部、
１４、２５  給紙部、
２０  画像形成装置、
２４  操作パネル、
２６  画像形成部、
２７  定着部、
２８  用紙反転機構、
３０  画像読取装置、
３４  用紙搬送部、
３４１〜３４４  搬送ローラー対、
３５  第１スキャナー、
３６  第２スキャナー、
３７  測色計、
４０  後処理装置、
４４  後処理部、
４５  排紙部、
５０  用紙、
５１、５１ａ、５２ａ  接触範囲、
５２  読取範囲、
Ｒ１〜Ｒ８  ローラー。
【図１】
2020029369.tif 000003
【図２】
2020029369.tif 000004
【図３】
2020029369.tif 000005
【図４】
2020029369.tif 000006
【図５】
2020029369.tif 000007
【図６】
2020029369.tif 000008
【図７】
2020029369.tif 000009
【図８】
2020029369.tif 000010
【図９】
2020029369.tif 000011
【図１０】
2020029369.tif 000012
【図１１】
2020029369.tif 000013
【図１２】
2020029369.tif 000014
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
搬送される記録シートの画像を読み取る読取部と、
記録シートの搬送方向に対して前記読取部の上流側で前記読取部の最も近くに配置され、記録シートを挟持して搬送する搬送手段と、を備え、
前記搬送手段が、記録シートの搬送方向における先端から後端に亘って記録シートを挟持して搬送し、
前記搬送手段における、少なくとも前記読取部により読み取られる画像が形成された面に接する搬送部材の幅方向における端辺が、記録シートの幅方向における前記読取部による読取範囲と交差しないように構成された、
画像読取装置。
【請求項２】
前記読取部は、搬送される記録シートの幅方向の一部である所定領域を前記読取範囲とする第１読取部である、請求項１に記載の画像読取装置。
【請求項３】
前記読取部は、搬送される記録シートの幅方向の全領域を前記読取範囲とする第２読取部である、請求項１に記載の画像読取装置。
【請求項４】
前記搬送手段における、少なくとも前記読取部により読み取られる画像が形成された面に接する搬送部材による記録シートとの接触範囲が、前記１読取部による読取範囲と重ならない様に構成された請求項２に記載の画像読取装置。
【請求項５】
前記搬送手段における、少なくとも前記読取部により読み取られる画像が形成された面に接する搬送部材による記録シートとの接触範囲が、前記読取部による読取範囲の全領域を含む様に構成された請求項１乃至３の何れか一項に記載の画像読取装置。
【請求項６】
前記読取部が、搬送される記録シートの幅方向の一部である所定領域を前記読取範囲とする第１読取部と、搬送される記録シートの幅方向の全領域を前記読取範囲とする第２読取部と、を含む請求項１に記載の画像読取装置。
【請求項７】
前記搬送手段が、記録シートの搬送方向に対して、前記第１読取部の上流側で前記第１読取部の最も近くに配置された第１搬送部材と、前記第２読取部の上流側で前記第２読取部の最も近くに配置された第２搬送部材と、を含む請求項６に記載の画像読取装置。
【請求項８】
記録シートの搬送方向に対して、上流側から順に、前記第２搬送部材、前記第２読取部、前記第１搬送部材、前記第１読取部が配置された、請求項７に記載の画像読取装置。
【請求項９】
前記第２読取部が、記録シートの第１面に形成された画像を読み取る上流側読取部と、前記第１面と反対側の第２面に形成された画像を読み取る下流側読取部と、を含み、
前記第２搬送部材が、記録シートの搬送方向に対して、前記上流側読取部の上流側で前記上流側読取部の最も近くに配置された上流側搬送部材と、前記下流側読取部の上流側で前記下流側読取部の最も近くに配置された下流側搬送部材と、を含む、請求項７に記載の画像読取装置。
【請求項１０】
記録シートの搬送方向に対して、上流側から順に、前記上流側搬送部材、前記上流側読取部、前記下流側搬送部材、前記下流側読取部、前記第１搬送部材、前記第１読取部が配置された、請求項９に記載の画像読取装置。
【請求項１１】
記録シートに画像を形成する画像形成部と、
前記画像形成部で形成された記録シートの画像を読み取る読取部と、
記録シートの搬送方向に対して前記読取部の上流側で前記読取部の最も近くに配置され、記録シートを挟持して搬送する搬送手段と、を備え、
前記搬送手段が、記録シートの搬送方向における先端から後端に亘って記録シートを挟持して搬送し、
前記搬送手段における、少なくとも前記読取部により読み取られる画像が形成された面に接する搬送部材の幅方向における端辺が、記録シートの幅方向における前記読取部による読取範囲と交差しないように構成された、
画像形成システム。
【手続補正２】
【補正対象書類名】明細書
【補正対象項目名】０００９
【補正方法】変更
【補正の内容】
【０００９】
（１）搬送される記録シートの画像を読み取る読取部と、記録シートの搬送方向に対して前記読取部の上流側で前記読取部の最も近くに配置され、記録シートを挟持して搬送する搬送手段と、を備え、前記搬送手段が、記録シートの搬送方向における先端から後端に亘って記録シートを挟持して搬送し、前記搬送手段における、少なくとも前記読取部により読み取られる画像が形成された面に接する搬送部材の幅方向における端辺が、記録シートの幅方向における前記読取部による読取範囲と交差しないように構成された、画像読取装置。
【手続補正３】
【補正対象書類名】明細書
【補正対象項目名】００１０
【補正方法】変更
【補正の内容】
【００１０】
（２）前記読取部は、搬送される記録シートの幅方向の一部である所定領域を前記読取範囲とする第１読取部である、上記（１）に記載の画像読取装置。
【手続補正４】
【補正対象書類名】明細書
【補正対象項目名】００１１
【補正方法】変更
【補正の内容】
【００１１】
（３）前記読取部は、搬送される記録シートの幅方向の全領域を前記読取範囲とする第２読取部である、上記（１）に記載の画像読取装置。
【手続補正５】
【補正対象書類名】明細書
【補正対象項目名】００１２
【補正方法】変更
【補正の内容】
【００１２】
（４）前記搬送手段における、少なくとも前記読取部により読み取られる画像が形成された面に接する搬送部材による記録シートとの接触範囲が、前記１読取部による読取範囲と重ならない様に構成された上記（２）に記載の画像読取装置。
【手続補正６】
【補正対象書類名】明細書
【補正対象項目名】００１３
【補正方法】変更
【補正の内容】
【００１３】
（５）前記搬送手段における、少なくとも前記読取部により読み取られる画像が形成された面に接する搬送部材による記録シートとの接触範囲が、前記読取部による読取範囲の全領域を含む様に構成された上記（１）乃至（３）の何れか一つに記載の画像読取装置。
【手続補正７】
【補正対象書類名】明細書
【補正対象項目名】００１４
【補正方法】変更
【補正の内容】
【００１４】
（６）前記読取部が、搬送される記録シートの幅方向の一部である所定領域を前記読取範囲とする第１読取部と、搬送される記録シートの幅方向の全領域を前記読取範囲とする第２読取部と、を含む上記（１）に記載の画像読取装置。
【手続補正８】
【補正対象書類名】明細書
【補正対象項目名】００１５
【補正方法】変更
【補正の内容】
【００１５】
（７）前記搬送手段が、記録シートの搬送方向に対して、前記第１読取部の上流側で前記第１読取部の最も近くに配置された第１搬送部材と、前記第２読取部の上流側で前記第２読取部の最も近くに配置された第２搬送部材と、を含む上記（６）に記載の画像読取装置。
（８）記録シートの搬送方向に対して、上流側から順に、前記第２搬送部材、前記第２読取部、前記第１搬送部材、前記第１読取部が配置された、上記（７）に記載の画像読取装置。
（９）前記第２読取部が、記録シートの第１面に形成された画像を読み取る上流側読取部と、前記第１面と反対側の第２面に形成された画像を読み取る下流側読取部と、を含み、前記第２搬送部材が、記録シートの搬送方向に対して、前記上流側読取部の上流側で前記上流側読取部の最も近くに配置された上流側搬送部材と、前記下流側読取部の上流側で前記下流側読取部の最も近くに配置された下流側搬送部材と、を含む、上記（７）に記載の画像読取装置。
（１０）記録シートの搬送方向に対して、上流側から順に、前記上流側搬送部材、前記上流側読取部、前記下流側搬送部材、前記下流側読取部、前記第１搬送部材、前記第１読取部が配置された、上記（９）に記載の画像読取装置。
（１１）記録シートに画像を形成する画像形成部と、前記画像形成部で形成された記録シートの画像を読み取る読取部と、記録シートの搬送方向に対して前記読取部の上流側で前記読取部の最も近くに配置され、記録シートを挟持して搬送する搬送手段と、を備え、前記搬送手段が、記録シートの搬送方向における先端から後端に亘って記録シートを挟持して搬送し、前記搬送手段における、少なくとも前記読取部により読み取られる画像が形成された面に接する搬送部材の幅方向における端辺が、記録シートの幅方向における前記読取部による読取範囲と交差しないように構成された、画像形成システム。